(57)【要約】  家畜の精液や微量な生物個体サンプルを保管及び履歴情報管理するために好適な、信頼性、作業及び通信特性に優れた、ＩＣタグを内蔵した個体識別が可能な管状容器を提供する。  樹脂製の管状容器と、封入栓と、前記封入栓内に埋設され、ＩＣチップと第１の送受信アンテナとから成るＩＣタグと、前記管状容器に固定された第２の送受信アンテナとから構成される。
2007077996.tif 000002
【特許請求の範囲】
【請求項１】
個体識別用ＩＣタグを備えた管状容器であって、
樹脂製の管状容器と、
封入栓と、
前記封入栓内に埋設され、ＩＣチップと第１の送受信アンテナとから成るＩＣタグと、
前記管状容器に固定された第２の送受信アンテナと
を含む個体識別が可能な管状容器。
【請求項２】
前記ＩＣタグの最大長さが、１５ｍｍ以下である請求項１記載の個体識別が可能な管状容器。
【請求項３】
前記第２の送受信アンテナの長さが、３０ｍｍ〜６０ｍｍの範囲にある請求項１又は２記載の個体識別が可能な管状容器。
【請求項４】
前記第２の送受信アンテナが、前記管状容器に固定された金属箔である請求項１〜３のいずれかに記載の個体識別が可能な管状容器。
【請求項５】
前記第２の送受信アンテナが、前記管状容器に固定された金属ワイヤである請求項１〜３のいずれかに記載の個体識別が可能な管状容器。
【請求項６】
前記第２の送受信アンテナが、前記管状容器表面に形成された導電性ペースト硬化物である請求項１〜３のいずれかに記載の個体識別が可能な管状容器。
【請求項７】
前記封入栓が、繊維部と粉末部から構成される請求項１〜６のいずれかに記載の個体識別が可能な管状容器。
【請求項８】
前記封入栓が、発泡性樹脂である請求項１〜６のいずれかに記載の個体識別が可能な管状容器。
【請求項９】
前記管状容器の外径が、３ｍｍ以下である請求項１〜８のいずれかに記載の個体識別が可能な管状容器。
【請求項１０】
前記管状容器の材料が、塩化ビニル樹脂、ポリプロピレン樹脂、ポリエチレン樹脂、ポリエステル樹脂のいずれかから選択される請求項１〜９のいずれかに記載の個体識別が可能な管状容器。
【請求項１１】
前記ＩＣタグが、２．４５ＧＨｚの搬送電波によって動作する請求項１〜１０のいずれかに記載の個体識別が可能な管状容器。
【請求項１２】
前記ＩＣタグが、外部電極が向かい合った一組の各々の面に形成されたＩＣチップと、Ｔ字型のスリットが形成された第１の送受信アンテナと、前記ＩＣチップと前記第１の送受信アンテナとを電気的に接続する短絡板とを含むＩＣタグである請求項１〜１１のいずれかに記載の個体識別が可能な管状容器。
【請求項１３】
液体窒素中で貯蔵される請求項１〜１２のいずれかに記載の個体識別が可能な管状容器。
【請求項１４】
貯蔵される液体が、家畜の精液である請求項１〜１３のいずれかに記載の個体識別が可能な管状容器。
【請求項１５】
前記管状容器に固定された第３の送受信アンテナを有する請求項１〜１４のいずれかに記載の個体識別が可能な管状容器。
【発明の詳細な説明】
【技術分野】
【０００１】
本発明は、個体識別が可能な管状容器に関する。
【背景技術】
【０００２】
近年、食肉生産業においては牛海綿状脳症（ＢＳＥ）や偽装表示問題が起こり、生産者、加工業者、流通業者については食の安全性の保証、また消費者にとっては安心を得るための情報管理システムの構築が求められている。【０００３】
牛、豚等の家畜はそのほとんどが種牛、種豚等から採取された精液を用いた人工授精によって飼育されており、安全で良好な品質を維持するために血統の管理が重要である。種牛、種豚等の精液は細い管状の容器に小分けにされ、冷凍保管されるのが一般的な方法であり、人工授精の際には冷凍貯蔵庫から必要数の管状の容器を取り出し使用する。大量の管状容器を識別し、その精液がいつ、どの家畜に人工授精され、飼育された家畜がどのような経路で加工、流通され、消費者にまで届くか、その情報管理には多大な手間が掛かり、かつ間違いも起こりやすい。【０００４】
これらの識別、管理に有用なのが非接触式ＩＣタグである。非接触式ＩＣタグは、無線通信を用いて様々な情報をＩＣチップに書き込んだり、その情報を読み出すことが可能な電子デバイスであり、それらの情報はコンピュータで保存、管理したり、コンピュータネットワークによって多数の人が共有することができる。例えば管状容器に予めＩＣタグを装着しておけば、その容器に精液を入れた時点からその識別、履歴管理を確実に行うことが可能になる。【０００５】
岐阜県畜産研究所では人工授精用の凍結精液を無線ＩＣタグを付けた管状容器で保管、管理し、牛の血統を人工授精の段階までさかのぼって管理することができるトレーサビリティ（生産・流通の履歴管理）システムを開発し、実験運用を開始している（中日新聞  平成１７年１０月１３日版を参照）。【０００６】
家畜の精液を保管する容器には、一般に直径２〜３ｍｍ及び長さ１０〜１５ｃｍ程度のプラスチック製の円筒の一方の端に綿栓を詰めた容器が使用されている。その管状容器にＩＣタグを取付け、かつ作業や保管の妨げにならないためには、数ｃｍ以下の細く小さなＩＣタグが必要になる。【０００７】
非接触式ＩＣタグには無線通信技術が用いられ、動作周波数が１３．５６ＭＨｚ、８６０〜９６０ＭＨｚ、２．４５ＧＨｚ等が国際標準規格として定められている。周波数によりＩＣタグの動作原理が異なり、ＩＣタグの大きさや通信性能に各々の特長があるが、２．４５ＧＨｚ帯のＩＣタグは比較的小型化が容易である。【０００８】
しかしながら、良好な通信特性を得るには５ｃｍ程度の長さが必要であり、管状容器の外側に取付ける場合には作業の妨げや、長期間の保存に耐えうるための信頼性及び機械的強度が低下する恐れがある。【０００９】
図１にＩＣタグを管状容器の外側に付けた場合の一例を示す。ＩＣチップ２１と送受信アンテナ２２から構成されるＩＣタグ２０は管状容器１の表面に貼り付けられている。家畜の精液は綿栓６とは反対側の端部から注入し、注入後に熱あるいは超音波によってその端部を融着し、保管する。【００１０】
図２にＩＣタグを管状容器の外側につけた場合の別な例を示す。精液の注入後の端部の融着時に、ＩＣタグ２０の端部を挟み込んで固定したものである。【００１１】
図１及び図２のいずれの例でも管状容器の外部に取付けられたＩＣタグは作業の妨げになる場合や、ＩＣタグに外部からの力が加わった際に故障する恐れがある。【００１２】
一方、本発明の発明者である田崎らによって、４ｍｍ×３ｍｍの小型ＩＣタグがすでに出願されており（特願２００５−００７５８３号を参照）、このような小型のＩＣタグであれば管状容器に内蔵することも可能であるが、電波の受信効率が劣る小型のアンテナでは、ＩＣタグと読み取り器との通信距離が至近距離に限られるため、作業時の読み取り性能が低下する。【００１３】
これらの課題は、家畜の精液を保管するための容器に限らず、近年、発展が著しいバイオテクノロジーにおいて膨大な数の生物個体サンプルを取り扱う上でも同様であり、それらを保管し、確実な履歴管理を行うためのシステムが求められている。
【発明の開示】
【発明が解決しようとする課題】
【００１４】
本発明は、前記に鑑みてなされたものであり、家畜の精液や微量な生物個体サンプルを保管及び履歴情報管理するために好適な、信頼性、作業及び通信特性に優れた、ＩＣタグを内蔵した個体識別が可能な管状容器を提供するものである。
【課題を解決するための手段】
【００１５】
本発明は、家畜の精液や微量な生物個体サンプルを保管及び履歴情報管理するために好適な管状容器であり、管状容器の封入栓に埋設された第１の送受信アンテナを有するＩＣタグと、管状容器に固定されＩＣタグとは分離している第２の送受信アンテナとを含むものである。【００１６】
ＩＣタグを封入栓に埋設することによって、ＩＣタグの高い信頼性及び機械的強度が得られ、かつ作業性にも優れる。【００１７】
また、第１の送受信アンテナと第２の送受信アンテナは電気的に接続されていなくても、高周波の電波を送受信する際に２つのアンテナ間の静電容量によって電気的な結合が生じ、ＩＣチップが接続されている第１の送受信アンテナが非常に小型のものであっても第２の送受信アンテナの寄与により良好な通信特性が得られる。【００１８】
すなわち、本発明は以下の通りである。【００１９】
本発明に係る個体識別が可能な管状容器は、個体識別用ＩＣタグを備えた管状容器であって、樹脂製の管状容器と、封入栓と、前記封入栓内に埋設され、ＩＣチップと第１の送受信アンテナとから成るＩＣタグと、前記管状容器に固定された第２の送受信アンテナとを含む。【００２０】
本発明に係る個体識別が可能な管状容器は、前記ＩＣタグの最大長さが、１５ｍｍ以下であることが好ましい。【００２１】
本発明に係る個体識別が可能な管状容器は、前記第２の送受信アンテナの長さが、３０ｍｍ〜６０ｍｍの範囲にあることが好ましい。【００２２】
本発明に係る個体識別が可能な管状容器は、前記第２の送受信アンテナが、前記管状容器に固定された金属箔であることが好ましい。【００２３】
本発明に係る個体識別が可能な管状容器は、前記第２の送受信アンテナが、前記管状容器に固定された金属ワイヤであることが好ましい。【００２４】
本発明に係る個体識別が可能な管状容器は、前記第２の送受信アンテナが、前記管状容器表面に形成された導電性ペースト硬化物であることが好ましい。【００２５】
本発明に係る個体識別が可能な管状容器は、前記封入栓が、繊維部と粉末部から構成されることが好ましい。【００２６】
本発明に係る個体識別が可能な管状容器は、前記封入栓が、発泡性樹脂であることが好ましい。【００２７】
本発明に係る個体識別が可能な管状容器は、前記管状容器の外径が、３ｍｍ以下であることが好ましい。【００２８】
本発明に係る個体識別が可能な管状容器は、前記管状容器の材料が、塩化ビニル樹脂、ポリプロピレン樹脂、ポリエチレン樹脂、ポリエステル樹脂のいずれかから選択されることが好ましい。【００２９】
本発明に係る個体識別が可能な管状容器は、前記ＩＣタグが、２．４５ＧＨｚの搬送電波によって動作することが好ましい。【００３０】
本発明に係る個体識別が可能な管状容器は、前記ＩＣタグが、外部電極が向かい合った一組の各々の面に形成されたＣチップと、Ｔ字型のスリットが形成された第１の送受信アンテナと、前記ＩＣチップと前記第１の送受信アンテナとを電気的に接続する短絡板とを含むＩＣタグであることが好ましい。【００３１】
本発明に係る個体識別が可能な管状容器は、液体窒素中で貯蔵されることが好ましい。【００３２】
本発明に係る個体識別が可能な管状容器は、貯蔵される液体が、家畜の精液であることが好ましい。【００３３】
本発明に係る個体識別が可能な管状容器は、前記管状容器に固定された第３の送受信アンテナを有することが好ましい。
【発明の効果】
【００３４】
本発明のＩＣタグを内蔵した管状容器によれば、次のような効果が得られる。【００３５】
すなわち、ＩＣチップ及び第１の送受信アンテナから成り、封入栓の内部に埋設されたＩＣタグと、管状容器に固定された第２の送受信アンテナから構成された管状容器を用いることにより、家畜の精液や微量な生物個体サンプルを保管し、その履歴情報を管理するために好適な、信頼性、作業性及び通信特性に優れた、ＩＣタグを内蔵した管状容器を実現できる。
【図面の簡単な説明】
【００３６】
【図１】図１は従来のＩＣタグ付き管状容器の一例を示す概略図である。
【図２】図２は従来のＩＣタグ付き管状容器の一例を示す概略図である。
【図３】図３は本発明のＩＣタグ付き管状容器の一例の側面図である。
【図４】図４は本発明のＩＣタグ付き管状容器のＩＣタグ埋設部の一例を示す概略図である。
【図５】図５は本発明のＩＣタグ付き管状容器のＩＣタグ埋設部の一例を示す概略図である。
【図６】図６は本発明のＩＣタグ付き管状容器のＩＣタグ埋設部の一例を示す概略図である。
【図７】図７（ａ）は本発明に好適なＩＣタグの構造の一例を示す概略図であり、図７（ｂ）は図７（ａ）のＡ−Ａ’線断面図である。
【図８】図８（ａ）は本発明のＩＣタグ付き管状容器の使用例を説明する概略図であり、図８（ｂ）は本発明のＩＣタグ付き管状容器の使用例を説明する概略図である。
【図９】図９本発明のＩＣタグ付き管状容器の一例を示す側面図である。
【発明を実施するための最良の形態】
【００３７】
本発明の個体識別用ＩＣタグを備えた管状容器は、樹脂製の管状容器と、封入栓と、前記封入栓内に埋設され、ＩＣチップと第１の送受信アンテナとからなるＩＣタグと、前記管状容器に固定された第２の送受信アンテナとを含む。【００３８】
以下、本発明の実施形態について図面を用いて詳細に説明する。なお、以下の実施形態は例として示すものであり、本発明はこれらの実施形態に限定されるものではない。【００３９】
図３に、本発明の個体認識用ＩＣタグを備えた管状容器の形態の一例を示す。【００４０】
樹脂製の管状容器１の一方の端にある封入栓６の中にＩＣチップ３と第１の送受信アンテナ４から構成されるＩＣタグ２が埋設されており、管状容器１の表面にＩＣタグ２とは分離された第２の送受信アンテナ５が形成されている。【００４１】
第２の送受信アンテナ５は薄い金属箔又は金属ワイヤでもよく又は導電性ペーストの硬化物でもよい。【００４２】
第２の送受信アンテナ５が金属箔又は金属ワイヤである場合、その形成方法としては、管状容器１が熱可塑性の樹脂である場合にはその表面に直接溶着する方法でもよく又は接着材を用いて固定する方法でもよい。【００４３】
さらに、管状容器１を成形加工にて作製する際に金属箔又は金属ワイヤを一体成形することも可能である。【００４４】
第２の送受信アンテナ５に導電性ペーストを用いる場合、導電性ペーストを管状容器１の表面に塗布あるいは印刷した後、硬化することで形成できる。【００４５】
導電性ペーストには銀若しくは銅フレーク入りのペーストが電気伝導率が高く、良好な通信特性を得る上で好適である。【００４６】
ＩＣタグ２には動作原理と国際標準規格によって数種類の動作周波数があり、そのいずれを用いてもよい。ただし管状容器１の封入栓６に埋設するためにはＩＣタグ２は小型であることが望ましく、一般に使用されている１３．５６ＭＨｚ、８６０〜９６０ＭＨｚ及び２．４５ＧＨｚ帯の中では、コイル状の送受信アンテナが不要であり、かつ周波数が高く波長が短い２．４５ＧＨｚ帯を用いるＩＣタグ２が小型化に最も好適である。【００４７】
また、管状容器１の封入栓６は液体の充填体積を確保するために小型であることが望ましく、特に家畜の精液を保管する管状容器１の例として、全体の長さが約１２０ｍｍ、封入栓部の長さが約１５ｍｍであり、その封入栓６が長さ約３ｍｍの粉末部とその両側に各々長さ約５ｍｍの繊維部で構成されている容器が実用化されていることから、ＩＣタグ２の長さは１５ｍｍ以下であることが好ましく、１０ｍｍ以下であることがＩＣタグ２の端部まで完全に封入栓６に埋設するためにさらに好ましく、粉末部に埋設するためには３ｍｍ程度であることが最も好ましい。【００４８】
２．４５ＧＨｚ帯のＩＣタグ２を選択した場合、電波を効率よく送受信するためのアンテナには２分の１波長ダイポールアンテナがある。２．４５ＧＨｚの電波の２分の１波長は約１２０ｍｍであり、アンテナが短くなるにしたがって受信効率が低下することから、管状容器に固定する第２の送受信アンテナ５は３０ｍｍ〜６０ｍｍの長さであることが好ましい。【００４９】
図４に、封入栓６とＩＣタグ２の埋設部の一例を示す。ＩＣタグ２は一様な封入栓６の内部に埋設した場合を示す。封入栓６は例えば、織布、不織布又は編紐状の繊維でもよく、ポリエチレン、ポリエステル、ポリウレタン等の発泡性樹脂であってもよい。【００５０】
図５に、封入栓６とＩＣタグ２の埋設部の別の例を示す。ＩＣタグ２を封入栓６と管状容器１との間隙に埋設した場合を示す。封入栓６は図４の場合と同様に、例えば、織布、不織布又は編紐状の繊維でもよく、ポリエチレン、ポリエステル、ポリウレタン等の発泡性樹脂であってもよい。【００５１】
図６に、封入栓６とＩＣタグ２の埋設部の別の例を示す。封入栓６は織布、不織布又は編紐状の繊維部６ａと粉末部６ｂで構成し、ＩＣタグ２は粉末部６ｂに埋設した場合を示す。【００５２】
管状容器１の材質は非金属製であれば特に制限はないが、塩化ビニル樹脂、ポリプロピレン樹脂、ポリエチレン樹脂、ポリエステル樹脂は低価格で加工性も良好であることから好ましい。【００５３】
前述したように、長さが３ｍｍ〜１５ｍｍ程度のＩＣタグ２を封入栓６に埋設するためのＩＣタグ構造の好適な例としては以下のものが挙げられる。【００５４】
まずＩＣチップ３には、日立製作所製のミューチップという名称のＩＣチップが大きさ０．４ｍｍ×０．４ｍｍと非常に小型であり好適である。【００５５】
次に、ＩＣチップ３の実装構造として、２個の外部電極が表裏面に１個ずつ形成されたＩＣチップ（以下、両面電極チップと記す）と、Ｔ字型のスリットを有する送受信アンテナとを電気的に接続する短絡板とを用いる構造が小型化に好適である。実装構造の概略を図７に示す。【００５６】
図７（ａ）にＩＣタグ２を上面から見た概略図を示す。長辺の長さが３ｍｍ〜１０ｍｍの送受信アンテナ３３にはＴ字型のスリット３４が形成されており、このスリット３４の幅を０．２ｍｍ〜０．７ｍｍの範囲で、また長さを２．０ｍｍ〜３．０ｍｍの範囲で変えることにより送受信アンテナ３３と両面電極チップ３０のインピーダンスを整合することが可能である。スリット３４を挟んで一方の側に両面電極チップ３０の一方の面の外部電極を接続し、送受信アンテナ３３に接続した面と反対面の外部電極とスリット３４の反対側の短絡部３６とを短絡板３５を介して接続する。【００５７】
図７（ｂ）に、図７（ａ）のＡ−Ａ’線断面図を示す。両面電極チップ３０は半導体素子からなる回路面上に形成された外部電極３１と、ベース基板面自身を利用した外部電極３２とを有している。両面電極チップ３０の一方の外部電極３２と送受信アンテナ３３、両面電極チップ３０の他の一方の外部電極３１と短絡板３５、両面電極チップ３０に対しスリット３４を挟んだ反対側で送受信アンテナ３３と短絡板３５が異方導電接着剤３７を介して各々接続されている。【００５８】
なお、図７（ｂ）には、送受信アンテナ３３は金属箔アンテナ３３ａとそれを保持するキャリヤフィルム３３ｂ、短絡板３５は金属箔３５ａとそれを保持するキャリヤフィルム３５ｂ、異方導電接着剤３７は導電粒子３７ａとマトリクス樹脂３７ｂから各々構成されている形状を示した。【００５９】
一般に、ＩＣチップ３と送受信アンテナとのインピーダンスを整合するために、送受信アンテナに設けられたスリット等によってインダクタンス及びキャパシタンスを調整するが、図７の実装構造を用いれば、短絡板３５によるインダクタンス及びキャパシタンスの寄与が生じ、スリット３４の長さを短くすることが可能であり、長さが１０ｍｍ以下のＩＣタグ２を形成するために好適である。【００６０】
本発明の、ＩＣタグ２が封入栓６の中に埋設された管状容器１を用いれば、従来のＩＣタグ付き管状容器のように容器の外部にＩＣタグ２が露出して、信頼性及び機械的強度や取り扱い時のハンドリング性が低下することがない。【００６１】
さらに、家畜の精液等、液体窒素中（−１９６℃）等の極低温で保管される場合でも、封入栓６によって保護されているので、急激な温度の変化や取り出し後のＩＣタグ２の結露による読み取り性の低下を抑制することができる。【００６２】
家畜の精液を保管する場合には、図８（ａ）に示すように、管状容器１に精液７を充填後、管状容器１の一方の端部を融着して密封する。使用時には、図８（ｂ）に示すように、融着された端部を切断し、封入栓６を外部から管状容器１の内部に押し込み、精液７を取り出す。【００６３】
前述したように、管状容器１の長さは１２０ｍｍ、管状容器１に固定された第２の送受信アンテナ５の長さは３０ｍｍ〜６０ｍｍが好ましいことから、封入栓６が押された後では第２の送受信アンテナ５はＩＣタグ２の通信には寄与できなくなることが考えられる。【００６４】
したがって、保管から使用前までではなく、使用後にもＩＣタグ２の良好な通信特性が必要とされる場合には封入栓６が押された位置で通信に寄与する第３の送受信アンテナを管状容器１に固定しておくことが有効である。図９に第３の送受信アンテナ８を形成した管状容器１の例を示す。第３の送受信アンテナ８は、封入線６が管状容器１の内部に押し込まれ、ＩＣタグ２が第３の送受信アンテナ８の近づいた状態で、ＩＣタグ２の第１の送受信アンテナ４との間で静電容量によって電磁的に結合する。これによって、第１の送受信アンテナ４が非常に小型のものであっても第３の送受信アンテナ８の寄与により良好な通信特性が得られる。
【実施例】
【００６５】
以下、本発明の好適な実施例について説明するが、本発明はこれらの実施例に限定されるものではない。【００６６】
［実施例１］
まず、ＩＣタグを作製した。使用した部材を以下に説明する。【００６７】
ＩＣチップは（株）日立製作所製ミューチップで、表裏両面に外部電極が形成された両面電極チップを用いた。【００６８】
送受信アンテナは、厚さ５０μｍのＰＥＴ（ポリエチレンテレフタレート）フィルム上に貼り合わせた、厚さ１０μｍのアルミニウム箔に幅０．３ｍｍ及び長さ２．４ｍｍのＴ字型スリットをエッチング加工にて形成したものを用いた。送受信アンテナの大きさは、長さ４ｍｍ及び幅２．５ｍｍとした。【００６９】
両面電極型のミューチップと送受信アンテナを接続するための短絡板には、厚さ５０μｍのＰＥＴフィルム上に厚さ１０μｍのアルミニウム箔を貼り合わせたテープを用いた。テープの幅は１．２ｍｍであり、これを３ｍｍに切断して使用した。接続材料には、異方導電接着フィルム（日立化成工業（株）製、商品名ＡＣ−２０５２Ｐ）を使用した。【００７０】
次に、送受信アンテナの所定の位置に、異方導電接着フィルム、両面電極チップ、異方導電接着フィルム、短絡板を順に重ねた後、加熱圧着することで図９に示した実装構造のＩＣタグを得た。【００７１】
一方、塩化ビニル樹脂製の内径２．５ｍｍ及び長さ１２０ｍｍの円筒の、封入栓を形成する側の端部表面に、幅２ｍｍ、長さ５０ｍｍ及び厚さ１０μｍのアルミニウム箔を両面粘着テープ（日立化成ポリマー（株）製  ハイボン１１−５８３）を介して貼り付け、第２の送受信アンテナ付きの管状容器を作製した。【００７２】
この後、アンテナ付きの管状容器の一方の端部に、長さ６ｍｍの編み紐状の綿栓、上記の工程で作製したＩＣタグ、白色粉末、長さ６ｍｍの編み紐状の綿栓を順に詰め、封入栓とした。なお、白色粉末はＩＣタグを密封するための適当量を充填した。【００７３】
以上の工程にてＩＣタグを内蔵した管状容器を得た。【００７４】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ、出力１０ｍＷ／ＭＨｚ、１パッチ円偏波アンテナ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００７５】
［実施例２］
まず、実施例１と同様な手順でＩＣタグを作製した。【００７６】
次に、塩化ビニル樹脂製の内径２．５ｍｍ及び長さ１２０ｍｍの円筒の表面に、直径３０μｍ及び長さ５０ｍｍの銅ワイヤを置きその上から片面粘着テープを巻き付け、第２の送受信アンテナ付きの管状容器を作製した。【００７７】
次に、アンテナ付きの管状容器の一方の端部に、実施例１と同様な手順でＩＣタグを埋設した封入栓を形成した。【００７８】
以上の工程にてＩＣタグを内蔵した管状容器を得た。【００７９】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ、出力１０ｍＷ／ＭＨｚ、１パッチ円偏波アンテナ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００８０】
［実施例３］
まず、実施例１と同様な手順でＩＣタグを作製した。【００８１】
次に、塩化ビニル樹脂製の内径２．５ｍｍ及び長さ１２０ｍｍの円筒の表面に、幅２ｍｍ、長さ５０ｍｍ及び厚さ１０μｍのアルミニウム箔を接着剤（日立化成ポリマー（株）製、商品名ＹＡ１８０）で貼り付け、第２の送受信アンテナ付きの管状容器を作製した。【００８２】
次に、アンテナ付きの管状容器の一方の端部に、実施例１と同様な手順でＩＣタグを埋設した封入栓を形成した。【００８３】
以上の工程にてＩＣタグを内蔵した管状容器を得た。【００８４】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ、出力１０ｍＷ／ＭＨｚ、１パッチ円偏波アンテナ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００８５】
［実施例４］
まず、実施例１と同様な手順でＩＣタグを作製した。【００８６】
次に、塩化ビニル樹脂製の内径２．５ｍｍ及び長さ１２０ｍｍの円筒の表面に、幅２ｍｍ、長さ５０ｍｍ及び厚さが２０μｍとなるように銀ペーストを塗布した後硬化し、第２の送受信アンテナ付きの管状容器を作製した。【００８７】
次に、アンテナ付きの管状容器の一方の端部に、実施例１と同様な手順でＩＣタグを埋設した封入栓を形成した。【００８８】
以上の工程にてＩＣタグを内蔵した管状容器を得た。【００８９】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ、出力１０ｍＷ／ＭＨｚ、１パッチ円偏波アンテナ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００９０】
［実施例５］
まず、実施例１と同様な手順でＩＣタグを作製した。【００９１】
次に、塩化ビニル樹脂製の内径２．５ｍｍ及び長さ１２０ｍｍの円筒の、封入栓を形成する側ともう一方の側の表面に、幅２ｍｍ、長さ５０ｍｍ及び厚さが２０μｍとなるように銀ペーストを塗布した後硬化し、第２及び第３の送受信アンテナ付きの管状容器を作製した。【００９２】
次に、アンテナ付きの管状容器の一方の端部に、実施例１と同様な手順でＩＣタグを埋設した封入栓を形成した。【００９３】
以上の工程にてＩＣタグを内蔵した管状容器を得た。【００９４】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００９５】
さらに、溶着した部分を鋏にて切断し、水が入っている方とは反対の端から封入栓を細い棒で他方の端部近傍まで押し込み、水を排出した。この状態でＩＣタグ読み取り器（セコニック製ハンディリーダ、出力１０ｍＷ／ＭＨｚ、１パッチ円偏波アンテナ）を用いてＩＣタグに記録された情報を読み取ったところ、ＩＣタグと読み取り器が２ｃｍ以下の距離で、またＩＣタグの中心から半径２ｃｍの範囲内に読み取り器のアンテナの中心があるように位置合わせをした場合に瞬時に読み取ることができた。【００９６】
［比較例１］
まず、実施例１と同様な手順でＩＣタグを作製した。【００９７】
次に、アンテナを形成していない塩化ビニル樹脂製の円筒の一方の端部に、実施例１と同様な手順でＩＣタグを埋設した封入栓を形成した。【００９８】
以上の工程にてＩＣタグを内蔵した管状容器を得た。【００９９】
上記のＩＣタグを内蔵した管状容器に、ＩＣタグの特性を確認するために実験的に水を注入し、注入口を溶着した後、ＩＣタグ読み取り器（（株）セコニック製ハンディリーダＲ００１Ｍ、出力１０ｍＷ／ＭＨｚ、１パッチ円偏波アンテナ）を用いてＩＣタグに記録された情報を読み取ろうとしたが、読み取りができなかった。【０１００】
次に、セラミックチップアンテナ（（株）ヨコオ製、商品名ＹＣＥ−５２２３）を取り付けたＩＣタグ読み取り器（（株）日立国際電気製、ＭＲＪ３００、出力３００ｍＷ）を用いて、ＩＣタグに記録された情報を読み取ろうとしたところ、ＩＣタグと読み取り器が５ｍｍ以下の距離で、またＩＣタグの中心から半径３ｍｍの範囲内に読み取り器のアンテナの中心があるように精度よく位置を合わせたときにのみ読み取ることができた。【０１０１】
各実施例及び比較例の結果をまとめて表１に示す。なお、実施例１〜実施例５については、本文中には記載しなかったが、セラミックチップアンテナ（（株）ヨコオ製、ＹＣＥ−５２２３）を取り付けたＩＣタグ読み取り器（（株）日立国際電気製、ＭＲＪ３００、出力３００ｍＷ）を用いた場合の読み取り性も合わせて示す。
【表１】
2007077996.tif 000003
【図１】
2007077996.tif 000004
【図２】
2007077996.tif 000005
【図３】
2007077996.tif 000006
【図４】
2007077996.tif 000007
【図５】
2007077996.tif 000008
【図６】
2007077996.tif 000009
【図７】
2007077996.tif 000010
【図８】
2007077996.tif 000011
【図９】
2007077996.tif 000012
【国際調査報告】
2007077996.tif 000013
2007077996.tif 000014
2007077996.tif 000015
2007077996.tif 000016